(57)【要約】【課題】、ランプの灯数に関わらず反射板を共用することによって意匠を統一し、且つ、施工後において容易に着脱できる遮光部材を備えた照明器具を提供する。【解決手段】照明器具は、レースウェイ１２に取着される器具本体１と、器具本体１に取着される給電ユニット２と、給電ユニット２に取着されてランプ４の光を反射させる反射板３とを備え、給電ユニット２として、ランプ４の灯数に応じた個数のランプソケット８を具備した複数種類の給電ユニット２の何れかが選択的に用いられる。一方、反射板３の主片３ｃの長手方向両端部には、各給電ユニット２が具備するランプソケット８の複数の配置位置と重なる位置に切欠部３ａがそれぞれ設けられており、何れの給電ユニット２を選択した場合でも反射板３が取着できるようになっている。【選択図】図１
2009224158.tif 000002
【特許請求の範囲】
【請求項１】
被取付部に取着される器具本体と、当該器具本体に取着される給電ユニットと、当該給電ユニットに取着される反射板とを備え、前記給電ユニットとして、ランプの灯数に応じた個数のランプソケットを具備した複数種類の給電ユニットの何れかが選択的に用いられ、前記反射板において各給電ユニットが具備するランプソケットの複数の配置位置と重なる位置に切欠部を設けたことを特徴とする照明器具。
【請求項２】
前記ランプソケットに当接することによって前記反射板を位置決めする位置決め部を前記切欠部に設けたことを特徴とする請求項１記載の照明器具。
【請求項３】
前記反射板は、前記ランプソケットの複数の配置位置とそれぞれ重なる位置に複数のノックアウトを有し、選択された給電ユニットが具備するランプソケットの位置に合わせて対応する前記ノックアウトを取り除くことによって前記切欠部が形成されることを特徴とする請求項１又は２の何れか１項に照明器具。
【請求項４】
ランプからの光を遮光するための遮光部材を備え、前記ランプおよび前記反射板が取着された前記給電ユニットを前記器具本体に取着した状態において、前記器具本体、前記給電ユニット又は前記反射板の何れかに前記遮光部材を着脱自在に取着する取付手段を当該遮光部材に設けたことを特徴とする請求項１〜３の何れか１項に記載の照明器具。
【発明の詳細な説明】
【技術分野】
【０００１】
本発明は、照明器具に関するものである。
【背景技術】
【０００２】
従来より、天井面に取り付けられて室内などを照明する照明器具が種々提供されている（例えば特許文献１参照）。
【０００３】
図６は１灯のランプを備えた１灯式の照明器具を示しており、器具本体１０１の長手方向両側に直管型のランプ１０４の両端部がそれぞれ接続されるランプソケット１０２が各１個ずつ取着され、器具本体１０１とランプ１０４の間にはランプ１０４からの照射光を下方に反射させる反射板１０３が配設されている。
【０００４】
また、同種の照明器具でランプの灯数を変更したものとして、図７や図８に示す照明器具も提供されている。図７に示す照明器具は、２灯用の器具本体２０１の長手方向両側に２灯用のランプソケット２０２がそれぞれ取着され、器具本体２０１とランプ１０４の間にはランプ１０４からの照射光を下方に反射させる反射板２０３が配設されている。また、図８に示す照明器具は、図６に示す１灯用の器具本体１０１’に対して１灯用のランプソケット１０２の代わりに、２個のランプソケット１０２が器具本体１０１’の幅方向に並べて取着されたソケット台３０１が取着されており、器具本体１０１’とランプ１０４の間にはランプ１０４からの照射光を下方に反射させる反射板３０２が配設されている。
【特許文献１】特開２００３−１９７０２３号公報（段落［０００２］−段落［０００５］、及び、第１、２図）
【発明の開示】
【発明が解決しようとする課題】
【０００５】
上述の図６に示した照明器具は、図７に示した照明器具との間では、ランプソケットを逃がすための切欠部の形状を変更することによって反射板の全体形状を共通化しており、ランプの灯数が異なっていても照明器具全体として意匠を統一できるが、それぞれ専用の器具本体および反射板を用いているため、ランプの灯数を相互に変更する場合には器具一式を交換しなければならなかった。
【０００６】
また、図８に示した照明器具との間では、器具本体からランプまでの距離が異なっており反射板の全体形状を共通化できないから、照明器具全体として意匠を統一できず、さらにそれぞれ専用の器具本体および反射板を用いているため、ランプの灯数を相互に変更する場合には器具一式を交換しなければならなかった。
【０００７】
さらに、図６〜図８に示す照明器具は、施工後においてランプの配光を変えるための遮光部材を着脱できるような構成にはなっておらず、この場合配光に応じて器具一式を交換する必要があった。
【０００８】
本発明は上記問題点に鑑みて為されたものであり、その目的とするところは、ランプの灯数に関わらず反射板を共用することによって意匠を統一し、且つ、施工後において容易に着脱できる遮光部材を備えた照明器具を提供することにある。
【課題を解決するための手段】
【０００９】
請求項１の発明は、被取付部に取着される器具本体と、当該器具本体に取着される給電ユニットと、当該給電ユニットに取着される反射板とを備え、給電ユニットとして、ランプの灯数に応じた個数のランプソケットを具備した複数種類の給電ユニットの何れかが選択的に用いられ、反射板において各給電ユニットが具備するランプソケットの複数の配置位置と重なる位置に切欠部を設けたことを特徴とする。
【００１０】
請求項２の発明は、ランプソケットに当接することによって反射板を位置決めする位置決め部を切欠部に設けたことを特徴とする。
【００１１】
請求項３の発明は、反射板は、ランプソケットの複数の配置位置とそれぞれ重なる位置に複数のノックアウトを有し、選択された給電ユニットが具備するランプソケットの位置に合わせて対応するノックアウトを取り除くことによって切欠部が形成されることを特徴とする。
【００１２】
請求項４の発明は、ランプからの光を遮光するための遮光部材を備え、ランプおよび反射板が取着された給電ユニットを器具本体に取着した状態において、器具本体、給電ユニット又は反射板の何れかに遮光部材を着脱自在に取着する取付手段を当該遮光部材に設けたことを特徴とする。
【発明の効果】
【００１３】
請求項１の発明によれば、複数種類の給電ユニットの何れを選択した場合でも、その給電ユニットが具備するランプソケットを切欠部を通して逃がすことができるので、選択した給電ユニットに関わらず反射板を共用することができ、その結果、ランプの灯数が異なる場合であっても照明器具全体として意匠を統一することができるという効果がある。
【００１４】
請求項２の発明によれば、切欠部に設けた位置決め部にランプソケットを当接させることによって、給電ユニットに対する反射板の移動が規制され反射板が所定位置に位置決めされるので、反射板の給電ユニットへの取付時間が短縮され、組立性が向上するという効果がある。また、反射板を位置決めすることによって所定位置に反射板を収めることができるので、反射板の不完全な取り付けや誤装着を防止でき、安全性を確保することができるという効果もある。
【００１５】
請求項３の発明によれば、選択した給電ユニットが具備するランプソケットの位置に合わせて対応するノックアウトを取り除くとともに、ランプソケットがない部分のノックアウトはそのまま残すことによって不要な切欠きをなくすことができるので、照明器具の外観を向上させることができるという効果がある。
【００１６】
請求項４の発明によれば、施工後の照明器具に対して遮光部材を着脱自在に取り付けることができるので、遮光部材を使用状態に応じて容易に着脱することができ、且つ、使用状態に合った配光を得ることができるという効果がある。
【発明を実施するための最良の形態】
【００１７】
（実施形態１）
実施形態１を図１〜図４に基づいて説明する。本実施形態の照明器具は、図１に示すように、ランプ４の灯数に応じた個数のランプソケット８を備えた複数種類（本実施形態では３種類）の給電ユニット２の何れかが選択的に用いられる照明器具であって、ボルト１３により建物に固定されたレースウェイ１２に取り付けられて室内（例えば、工場など）を照明するために用いられるものである。なお、以下の説明では特に断りがない限り、図１中の矢印ａ−ｂの方向を上下方向、矢印ｃ−ｄの方向を左右方向として説明を行う。
【００１８】
照明器具は、レースウェイ１２に取り付けるための取付片５を左右方向両端部に具備した器具本体１と、器具本体１に取着される給電ユニット２と、直管型のランプ４と、ランプ４からの照射光を反射させるための反射板３とを備えている。
【００１９】
レースウェイ１２は、図１に示すように左右方向に延出する長尺状であって下側が開口する断面視略コ字状に形成されており、幅方向両側の先端部分を内側に折り曲げることにより全長に渡って溝部１２ａが形成されている。なお、このレースウェイ１２は、ボルト１３を用いて天井面（図示せず）に取り付けられるようになっている。ここに、レースウェイ１２により被取付部が構成されている。
【００２０】
器具本体１は、図１に示すように左右方向に延出するとともに下面が開口する細長い略矩形箱状に形成されたケース本体１ａを有し、ケース本体１ａの上面中央（レースウェイ１２との対向部位）には天井面から配線されたケーブル１４を挿通させるための略矩形状の電線挿通孔１ｂが貫設されている。また、ケース本体１ａの左右方向両端寄りには下方に突出する突台部６がそれぞれ突設されており、各突台部６の底面には固定ねじ１８が螺合するねじ孔６ａが設けられている。さらに、ケース本体１ａの左右方向両端部にはコ字状に折曲形成された取付片５がそれぞれ左右方向に延設されており、各取付片５にはレースウェイ１２に取り付けるための固定ねじ１５を挿通させるねじ挿通孔５ａが貫設されている。
【００２１】
給電ユニット２は、図１に示すように左右方向に延出する細長い略矩形板状の主片の４辺を下方に折り曲げることで形成されたケース本体２ａを有し、ケース本体２ａにおいて上記ねじ孔６ａに対応する部位にはねじ挿通孔２ｂが貫設されている。各ねじ挿通孔２ｂの内側には下方に突出する突台部９がそれぞれ突設されており、各突台部９の底面には固定ねじ１９が螺合するねじ孔９ａが設けられている。また、ケース本体２ａにおいて上記電線挿通孔１ｂに対応する部位にはケーブル１４の各電線が接続される端子台１０が収納されており、さらに端子台１０の右側にはランプ４に点灯電力を供給するための安定器１１が収納されている。なお、端子台１０は、電線接続面が上記電線挿通孔１ｂを臨むように配置されており、電線挿通孔１ｂを通して上側からケーブル１４が接続できるようになっている。また、図１中の３灯用の給電ユニット２では、３灯のランプ４に点灯電力が供給できるように安定器１１が２個収納されている。さらに、端子台１０の出力端と安定器１１の入力端の間は図示しない電線を介して電気的に接続されており、ケーブル１４を介して供給された商用電源が端子台１０から安定器１１に供給されるようになっている。
【００２２】
ここにおいて、本実施形態の照明器具は、図１に示すように１灯から３灯までのランプ４に対応できるように構成されており、給電ユニット２のケース本体２ａの左右方向両端部にはランプ４の灯数に応じた個数のランプソケット８が取着された複数種類（本実施形態では３種類）のソケット台７の何れかが取着されている。すなわち、給電ユニット２は、灯数に応じて異なるソケット台７を備えたものが複数種類（本実施形態では３種類）用意されている。このソケット台７は、図１に示すように略矩形箱状に形成され、取着されるランプソケット８の個数に応じてケース本体２ａの幅方向に延設される。すなわち、ランプ４が複数灯の場合には、ランプソケット８がケース本体２ａの幅方向に並べて配置されることになる。なお、対応するランプソケット８（同じランプ４が装着されるランプソケット）は、ランプ４の接続面８ａを互いに対向させた状態でソケット台７に取着されている。
【００２３】
反射板３は、図１に示すように左右方向に延出する略矩形板状の主片３ｃを有し、主片３ｃの幅方向両端部には斜め下方に傾斜する傾斜面３ｄがそれぞれ折曲形成されている。また、主片３ｃと各傾斜面３ｄとの折曲部分近傍において主片３ｃ側には、略矩形状の露光孔３ｊが左右方向に沿って複数貫設され、さらに各傾斜面３ｄ側には、同様に略矩形状の露光孔３ｋが左右方向に沿って複数貫設されている。なお、主片３ｃにおいて上記ねじ孔９ａに対応する部位にはねじ挿通孔３ｂが貫設されている。
【００２４】
ここで、反射板３の主片３ｃの左右方向両側には、図１および図２に示すように反射板３を給電ユニット２に取り付けた状態において、３種類の給電ユニット２がそれぞれ具備するランプソケット８の配置位置の全てと重なる位置に切欠部３ａがそれぞれ設けられている。また、各切欠部３ａにおいてランプソケット８の配置位置の間には、左右方向に突出する複数（本実施形態では２個）の位置決め突起３ｅがそれぞれ突設されている。なお、各位置決め突起３ｅの突出長さｄは、変形を防止するとともに確実にランプソケット８を位置決めできるように５ｍｍ程度であるのが好ましい。
【００２５】
ここにおいて、給電ユニット２が具備するランプソケット８が１個の場合には、図２（ａ）に示すようにランプソケット８は切欠部３ａの中央の配置位置に配置されるとともに、幅方向両側の位置決め突起３ｅにより幅方向に位置決めされ、その結果、相対的に給電ユニット２に対する反射板３の移動が規制され、反射板３が所定位置に位置決めされる。また、給電ユニット２が具備するランプソケット８が２個の場合には、図２（ｂ）に示すように一方のランプソケット８が切欠部３ａの上側の配置位置に、他方のランプソケット８が下側の配置位置にそれぞれ配置されるとともに、各ランプソケット８が位置決め突起３ｅおよび切欠部３ａの幅方向の内側縁により幅方向に位置決めされ、同様に反射板３が給電ユニット２に対して位置決めされる。さらに、給電ユニット２が具備するランプソケット８が３個の場合には、図２（ｃ）に示すように各ランプソケット８は切欠部３ａの上、中、下の各配置位置にそれぞれ配置されるとともに、位置決め突起３ｅまたは切欠部３ａの幅方向の内側縁により幅方向に位置決めされ、同様に反射板３が給電ユニット２に対して位置決めされる。而して、各ランプソケット８を位置決め突起３ｅまたは切欠部３ａの幅方向の内側縁に当接させて、相対的に反射板３を給電ユニット２に位置決めすることによって、反射板３を給電ユニット２に取り付ける際の取付時間を短縮することができ、組立性が向上する。また、反射板３を位置決めすることによって所定位置に反射板３を収めることができるので、反射板３の不完全な取り付けや誤装着を防止でき、安全性を確保することもできる。ここに、位置決め突起３ｅおよび切欠部３ａの幅方向の内側縁により位置決め部が構成されている。
【００２６】
ランプ４は、図１に示すように左右方向に延出する直管状の発光管４ａを有し、発光管４ａの左右方向両端部には一対のランプピン４ｃが突設された口金部４ｂがそれぞれ設けられている。
【００２７】
次に、本実施形態の照明器具の組立手順について図１に基づいて説明する。なお、端子台１０および安定器１１はケース本体２ａに予め取り付けられているものとして説明する。まず、器具本体１のケース本体１ａと給電ユニット２（１灯用、２等用、３灯用の何れであってもよい）のケース本体２ａの位置を合わせ、各固定ねじ１８を対応するねじ挿通孔２ｂに挿通させるとともにねじ孔６ａに螺合させて、ケース本体１ａにケース本体２ａを組み付ける。その後、用いた給電ユニット２のランプソケット８が切欠部３ａの配置位置に配置されるように反射板３を所定位置に配置した後、各固定ねじ１９を対応するねじ挿通孔３ｂに挿通させるとともにねじ孔９ａに螺合させて、反射板３をケース本体２ａに組み付ける。そして最後に、各口金部４ｂを対応するランプソケット８に装着してランプ４をケース本体２ａに取り付けると、照明器具の組立てが完了する。
【００２８】
ここにおいて、ケース本体１ａ、ケース本体２ａおよび反射板３は略同じ長さ寸法に形成され、照明器具を組み立てた状態では各取付片５が最も外側に位置しており、照明器具を組み立てた後にレースウェイ１２に取り付けられるようになっている。
【００２９】
続けて、照明器具のレースウェイ１２への取付手順について図１に基づいて説明する。まず、ケーブル１４の各電線を電線挿通孔１ｂを通して端子台１０に接続した後、レースウェイ１２に保持された各固定ねじ１５のねじ部１５ａを対応する取付片５のねじ挿通孔５ａに挿通し、下側からねじ部１５ａに座金（図示せず）を入れるとともに蝶ナット（図示せず）を螺合させると、照明器具がレースウェイ１２に固定される。
【００３０】
ここで、本実施形態の照明器具は、レースウェイ１２に取り付けた状態において、ランプ４からの光の配光を変えるための遮光部材２０が反射板３に着脱自在に取着できるようになっている。この遮光部材２０は遮光性を有する金属材料からなり、図３および図４に示すように左右方向に延出する細長い矩形板状の取付片２０ａを有し、取付片２０ａの幅方向一端側には斜め下方に傾斜するとともに、その先端側が鉛直下向きに延設された略く字状の遮光片２０ｂが一体に設けられている。また、取付片２０ａには、遮光部材２０を反射板３に固定するための固定ねじ２１が螺合するねじ孔２０ｃ（取付手段）が設けられており、固定ねじ２１を下側から反射板３のねじ挿通孔（図示せず）に挿通させるとともにねじ孔２０ｃに螺合させると、遮光部材２０が反射板３に取り付けられる。
【００３１】
ここにおいて、遮光部材２０を取り付けていない状態では、図４（ａ）に示すように反射板３の主片３ｃに設けた露光孔３ｊや傾斜面３ｄに設けた露光孔３ｋや傾斜面３ｄの側方からランプ４からの光が外部に照射されるようになっているが、遮光部材２０を反射板３に取り付けた状態では、図４（ｂ）に示すように露光孔３ｊ、３ｋからの光が遮られるとともに、傾斜面３ｄの側方からの光の一部も遮光片２０ｂにより遮られるようになる。すなわち、遮光部材２０を用いることによって、ランプ４からの光の配光を変えることができるのである。
【００３２】
而して、本実施形態の照明器具では、複数種類（本実施形態では３種類）の給電ユニット２の何れを選択した場合でも、その給電ユニット２が具備するランプソケット８を切欠部３ａを通して逃がすことができるので、選択した給電ユニット２に関わらず反射板３を共用することができ、その結果、ランプ４の灯数が異なる場合であっても照明器具全体として意匠を統一することができる。また、施工後（レースウェイ１２に取付後）の照明器具に対して遮光部材２０を着脱自在に取り付けることができるので、遮光部材２０を使用状態に応じて容易に着脱することができ、且つ、使用状態に合った配光を得ることができる。
【００３３】
なお、本実施形態では、遮光部材２０を反射板３に着脱自在に取り付けた場合を例に説明したが、例えば器具本体１や給電ユニット２に着脱自在に取り付けられるように構成してもよい。
【００３４】
（実施形態２）
実施形態２について図５に基づいて説明する。実施形態１では、反射板３の主片３ｃにおいてランプソケット８の配置位置と重なる位置に切欠部３ａを設けた場合を例に説明したが、本実施形態では、各ランプソケット８の配置位置と重なる位置に複数（本実施形態では３個）のノックアウト３ｆを設け、選択した給電ユニット２に応じて必要なノックアウト３ｆのみを切り取って切欠部３ｇを形成するようになっており、それ以外の構成は実施形態１と同様であり、同一の構成要素には同一の符号を付して説明は省略する。
【００３５】
本実施形態の反射板３では、主片３ｃの左右方向両端部においてランプソケット８の配置位置と重なる位置に、複数（本実施形態では３個）のノックアウト３ｆが幅方向に沿って設けられ、選択した給電ユニット２に応じて対応するノックアウト３ｆのみを切り取って切欠部３ｇを形成するようになっている。すなわち、給電ユニット２が具備するランプソケット８が１個の場合には、図５（ａ）に示すように中央位置のノックアウト３ｆのみを切り取って切欠部３ｇを形成し、取付状態においてこの切欠部３ｇにランプソケット８を配置している。また、給電ユニット２が具備するランプソケット８が２個の場合には、図５（ｂ）に示すように上、下２箇所のノックアウト３ｆを切り取って切欠部３ｇを形成するとともに、各ランプソケット８を対応する切欠部３ｇにそれぞれ配置している。さらに、給電ユニット２が具備するランプソケット８が３個の場合には、図５（ｃ）に示すように上、中、下の各位置のノックアウト３ｆを切り取って切欠部３ｇを形成するとともに、各ランプソケット８を対応する切欠部３ｇにそれぞれ配置している。なお、本実施形態の反射板３では、ノックアウト３ｆを切り取った後の切欠部３ｇの周部により位置決め部が構成され、何れの給電ユニット２を選択した場合でも、当該位置決め部にランプソケット８を当接させて相対的に反射板３を給電ユニット２に位置決めすることによって、反射板３を給電ユニット２に取り付ける際の取付時間を短縮することができ、組立性が向上する。
【００３６】
本実施形態の照明器具では、給電ユニット２が具備するランプソケット８の位置に合わせて対応するノックアウト３ｆを切り取って切欠部３ｇを形成することによって、給電ユニット２が具備するランプソケット８の個数に関わらず（ランプ４の灯数に関わらず）反射板３を共用できるから、照明器具全体として意匠を統一することができ、またランプソケット８がない部分のノックアウト３ｆはそのまま残すことによって不要な切欠きをなくすことができるので、照明器具の外観を向上させることができる。
【００３７】
なお、実施形態１、２では、電線挿通孔１ｂを略矩形状に形成しているが、電線挿通孔の形状は本実施形態に限定されるものではなく、矩形状以外の形状であってもよい。
【図面の簡単な説明】
【００３８】
【図１】実施形態１の照明器具の全体構成を示す概略図である。
【図２】同上に用いられる反射板の要部を示し、（ａ）は１灯の場合、（ｂ）は２灯の場合、（ｃ）は３灯の場合の正面図である。
【図３】同上の断面図である。
【図４】同上を示し、（ａ）は遮光部材を取り外した状態の斜視図、（ｂ）は遮光部材を取り付けた状態の斜視図である。
【図５】実施形態２の照明器具に用いられる反射板の要部を示し、（ａ）は１灯の場合、（ｂ）は２灯の場合、（ｃ）は３灯の場合の正面図である。
【図６】従来例の照明器具を示す分解斜視図である。
【図７】同上の別の例を示す分解斜視図である。
【図８】同上のさらに別の例を示す分解斜視図である。
【符号の説明】
【００３９】
１  器具本体
２  給電ユニット
３  反射板
３ａ  切欠部
４  ランプ
８  ランプソケット
１２  レースウェイ（被取付部）
【図１】
2009224158.tif 000003
【図２】
2009224158.tif 000004
【図３】
2009224158.tif 000005
【図４】
2009224158.tif 000006
【図５】
2009224158.tif 000007
【図６】
2009224158.tif 000008
【図７】
2009224158.tif 000009
【図８】
2009224158.tif 000010